(57)【要約】【課題】ユーザが容易に焦点位置および被写界深度を設定することができるようにする。【解決手段】撮影レンズ１０３は少なくともフォーカスレンズおよび絞りを備えており、撮像部２２は被写体を撮像して映像信号を得る。表示部２８には映像信号に応じた画像が表示され、システム制御部５０はタッチパネル１１２に対するタッチ操作を検出する。システム制御部５０は表示部に焦点の調節が可能な範囲である焦点調節可能範囲を示す目盛り部を表示するように制御し、システム制御部５０は目盛り部に対するタッチ操作が検出された場合に、目盛り部に対するタッチ操作に応じてフォーカスレンズおよび絞りの少なくとも一方を制御する。【選択図】図２
2014078826.tif 000002
【特許請求の範囲】
【請求項１】
少なくともフォーカスレンズおよび絞りを備え、被写体を撮像して映像信号を得る撮像手段と、
前記映像信号に応じた画像を表示する表示手段と、
前記表示手段に対するタッチ操作を検出するタッチ検出手段と、
前記表示手段に焦点の調節が可能な範囲である焦点調節可能範囲を示す目盛り部を表示するように制御する表示制御手段と、
前記目盛り部に対するタッチ操作が前記タッチ検出手段によって検出された場合に、前記目盛り部に対するタッチ操作に応じて前記フォーカスレンズおよび絞りの少なくとも一方を制御する駆動制御手段と、
を有することを特徴とする撮像装置。
【請求項２】
前記目盛り部には焦点位置が表示されるとともに、前記焦点調節可能範囲を表す被写界深度調節可能範囲が表示され、さらに、前記焦点位置を挟んで該焦点位置よりも後方の後方被写界深度を示す第１の指示体と前記焦点位置よりも前方の前方被写界深度を示す第２の指示体とが表示されることを特徴とする請求項１に記載の撮像装置。
【請求項３】
前記目盛り部には、さらに前記撮像装置の位置を示す撮像装置位置と、前記画像における被写体像の位置を示す被写体位置が表示されており、
前記撮像装置位置および前記被写体位置は前記第１の指示体および前記第２の指示体に関連付けて表示されていることを特徴とする請求項２に記載の撮像装置。
【請求項４】
前記目盛り部に対する１点目のタッチ操作が前記タッチ検出手段で検出されると、前記駆動制御手段は前記１点目のタッチ操作のタッチ位置に応じて前記フォーカスレンズを駆動制御して前記焦点位置を調節することを特徴とする請求項２又は３に記載の撮像装置。
【請求項５】
前記表示制御手段は、前記焦点位置の調節に応じて、前記目盛り部における焦点位置を変更することを特徴とする請求項４に記載の撮像装置。
【請求項６】
前記目盛り部に対する１点目のタッチ操作が前記タッチ検出手段で検出された後、所定の時間以内に２点目のタッチ操作が前記タッチ検出手段で検出されると、前記１点目のタッチ操作のタッチ位置と前記２点目のタッチ操作のタッチ位置とに応じて、前記駆動制御手段は前記フォーカスレンズおよび前記絞りを駆動制御して、前記焦点位置を調節するとともに被写界深度を調節することを特徴とする請求項２又は３に記載の撮像装置。
【請求項７】
前記表示制御手段は、前記焦点位置および前記被写界深度の調節に応じて、前記目盛り部における前記焦点位置と前記第１の指示体および前記第２の指示体の位置を変更することを特徴とする請求項６に記載の撮像装置。
【請求項８】
前記１点目のタッチ操作が検出された後、前記所定の時間が経過した後に前記２点目のタッチ操作が検出されると、前記駆動制御手段は前記焦点位置を固定して、前記２点目のタッチ操作のタッチ位置に応じて前記絞りを駆動制御して前記被写界震度を調節することを特徴とする請求項６に記載の撮像装置。
【請求項９】
前記表示制御手段は被写界深度の範囲を示す被写界深度範囲において、前記被写界深度調節可能範囲と被写界深度の調節が不可能な被写界深度とを区別して表示することを特徴とする請求項２に記載の撮像装置。
【請求項１０】
少なくともフォーカスレンズおよび絞りを備え、被写体を撮像して映像信号を得る撮像装置の制御方法であって、
前記映像信号に応じた画像を表示部に表示する表示ステップと、
前記表示部に対するタッチ操作を検出するタッチ検出ステップと、
前記表示部に焦点の調節が可能な範囲である焦点調節可能範囲を示す目盛り部を表示するように制御する表示制御ステップと、
前記目盛り部に対するタッチ操作が前記タッチ検出ステップで検出された場合に、前記目盛り部に対するタッチ操作に応じて前記フォーカスレンズおよび絞りの少なくとも一方を制御する駆動制御ステップと、
を有することを特徴とする制御方法。
【請求項１１】
少なくともフォーカスレンズおよび絞りを備え、被写体を撮像して映像信号を得る撮像装置で用いられる制御プログラムであって、
前記撮像装置が備えるコンピュータに、
前記映像信号に応じた画像を表示部に表示する表示ステップと、
前記表示部に対するタッチ操作を検出するタッチ検出ステップと、
前記表示部に焦点の調節が可能な範囲である焦点調節可能範囲を示す目盛り部を表示するように制御する表示制御ステップと、
前記目盛り部に対するタッチ操作が前記タッチ検出ステップで検出された場合に、前記目盛り部に対するタッチ操作に応じて前記フォーカスレンズおよび絞りの少なくとも一方を制御する駆動制御ステップと、
を実行させることを特徴とする制御プログラム。
【請求項１２】
請求項１１に記載の制御プログラムが記録されたコンピュータに読み取り可能な記録媒体。
【発明の詳細な説明】
【技術分野】
【０００１】
本発明は、撮像装置、その制御方法、および制御プログラム、並びに記録媒体に関し、特に、タッチパネルに焦点調節可能範囲を示す目盛りを表示して焦点位置と被写界深度を調節する撮像装置に関する。
【背景技術】
【０００２】
一般に、撮像装置の１つである一眼レフカメラにおいてはマニュアル設定で焦点位置および絞りを調節することが可能である。そして、上記の調節を行うことによって、被写界深度を浅くし主被写体にのみ焦点を当てて背景および前景をぼかして撮影することが行われている。しかしながら、一般のユーザがマニュアル設定において、焦点位置および絞りを調節することは難しい。
【０００３】
一方、一眼レフカメラにおいても動画撮影が可能となり、その関係で、ビデオカメラにおいても一眼レフカメラと同等に焦点位置および被写界深度を調節する機能が要望されている。
【０００４】
また、ピントの合う距離範囲が正確に把握するため、例えば、ファインダに短冊状の小さな表示体を距離目盛に沿って並べた表示素子を設けて、これによって、ピントの合う距離適正範囲を表示するようにしたカメラがある（特許文献１参照）。
【先行技術文献】
【特許文献】
【０００５】
【特許文献１】特開平１０−１９７９３８号公報
【発明の概要】
【発明が解決しようとする課題】
【０００６】
ところが、特許文献１に記載のカメラでは、焦点（ピント）の合っている距離適正範囲を表示して、ユーザがピントの合う距離範囲が正確に把握するようにしているものの、ユーザは焦点位置又は被写界深度の範囲を簡単に設定することができないという問題点がある。
【０００７】
従って、本発明の目的は、ユーザが容易に焦点位置および被写界深度を設定することのできる撮像装置、その制御方法、および制御プログラム、並びに記録媒体を提供することにある。
【課題を解決するための手段】
【０００８】
上記の目的を達成するため、本発明による撮像装置は、少なくともフォーカスレンズおよび絞りを備え、被写体を撮像して映像信号を得る撮像手段と、前記映像信号に応じた画像を表示する表示手段と、前記表示手段に対するタッチ操作を検出するタッチ検出手段と、前記表示手段に焦点の調節が可能な範囲である焦点調節可能範囲を示す目盛り部を表示するように制御する表示制御手段と、前記目盛り部に対するタッチ操作が前記タッチ検出手段によって検出された場合に、前記目盛り部に対するタッチ操作に応じて前記フォーカスレンズおよび絞りの少なくとも一方を制御する駆動制御手段と、を有することを特徴とする。
【発明の効果】
【０００９】
本発明によれば、ユーザは目盛り部によって容易に焦点位置および被写界深度を設定することができる。
【図面の簡単な説明】
【００１０】
【図１】本発明の第１の実施例による撮像装置の一例としてのデジタルカメラの外観図を示す斜視図である。
【図２】本発明の第１の実施形態によるデジタルカメラ１００の構成例を示すブロック図である。
【図３】図２に示すデジタルカメラにおける焦点位置・被写界深度の調節処理を説明するためのフローチャートである。
【図４】図２に示すデジタルカメラの位置（撮影位置）と被写体との位置関係を上方からみた図である。
【図５】図２に示すシステム制御部による被写界深度の算出を説明するための図である。
【図６】図２に示すシステム制御部で生成される目盛り表示画面の一例を示す図である。
【図７】図２に示すタッチパネル上の目盛りをタッチ操作した際の動作とタッチ操作にかかる入力点との関係を示す図である。
【図８】図３に示す焦点距離・被写界深度の制御に係る処理を説明するためのフローチャートである（その１）。
【図９】図３に示す焦点距離・被写界深度の制御に係る処理を説明するためのフローチャートである（その２）。
【図１０】図８において入力イベント数が１点である場合に図２に示す表示部に表示される焦点位置調節開始画面の一例を示す図である。
【図１１】１点目のタッチ操作によって合焦した後２点目のタッチ操作で焦点位置を固定として被写界深度の調節を行う被写界深度調節開始画面の一例を示す図である。
【図１２】被写界深度の調節が行われた後図２に示す表示部に表示される被写界深度調節終了画面の一例を示す図である。
【図１３】本発明の第２の実施形態によるデジタルカメラの撮像部２２における画素構成の一例を示す図である。
【図１４】図１３に示す焦点検出用の画素およびマイクロレンズを拡大して側方からみた図である。
【図１５】図１４に示すＡ像およびＢ像から撮像レンズにおけるピントずれ量を求める際の焦点検出原理について説明するための図である。
【図１６】本発明の第２の実施形態によるデジタルカメラの画像処理部およびシステム制御部で行われる処理を説明するための機能ブロック図である。
【図１７】図１６に示す画素補間処理部における補間演算を説明するための図である。
【図１８】本発明の第２の実施形態におけるデジタルカメラにおいて表示部に表示される目盛り表示画面の一例を示す図である。
【図１９】本発明の第２の実施形態によるデジタルカメラにおいて点入力した際の被写界深度調節開始画面の一例を示す図である。
【図２０】本発明の第２の実施形態によるデジタルカメラにおいて被写界深度調節終了画面の一例を示す図である。
【発明を実施するための形態】
【００１１】
以下、本発明の実施の形態による撮像装置について図面を参照して説明する。
【００１２】
［第１の実施形態］
図１に本発明の撮像装置の一例としてのデジタルカメラの外観図を示す。
【００１３】
図１において、表示部２８には画像や各種情報が表示される。シャッターボタン６１は撮影指示を行うための操作部である。モード切替スイッチ６０は各種モードを切り替えるための操作部である。コネクタ１１２は接続ケーブル１１３とデジタルカメラ１００とのコネクタである。操作部７０はユーザからの各種操作を受け付ける各種スイッチ、ボタン、およびタッチパネルなどの操作部材よりなる操作部である。コントローラホイール７３は操作部７０に含まれる回転操作可能な操作部材である。
【００１４】
電源スイッチ７２はデジタルカメラ１００の電源オン、電源オフを切り替える。記録媒体２００はメモリカードやハードディスクなどの記録媒体である。記録媒体スロット２０１は記録媒体２００を格納するためのスロットである。記録媒体スロット２０１に格納された記録媒体２００は、デジタルカメラ１００との通信が可能となる。蓋２０３は記録媒体スロット２０１の蓋である。
【００１５】
図２は、本発明の第１の実施形態によるデジタルカメラ１００の構成例を示すブロック図である。
【００１６】
図２において、撮影レンズ１０３はズームレンズ、フォーカスレンズを含むレンズ群である。シャッター１０１は絞り機能を備えるシャッターである。撮像部２２は光学像を電気信号に変換するＣＣＤ又はＣＭＯＳ素子などで構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、デジタルカメラ１００の撮影レンズ１０３を含む撮像系を覆うことにより、撮影レンズ１０３、シャッター１０１、撮像部２２を含む撮像系の汚れや破損を防止する。
【００１７】
画像処理部２４は、Ａ／Ｄ変換器２３からのデータ、又はメモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１８】
Ａ／Ｄ変換器２３からの出力データは、画像処理部２４およびメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１９】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてデジタルアナログ変換し、表示部２８に逐次転送して表示することで、電子ビューファインダとして機能し、スルー画像表示を行える。
【００２０】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２１】
システム制御部５０は、デジタルカメラ１００全体を制御する。前述した不揮発性メモリ５６に記録されたプログラムを実行することで、後述する本実施形態の各処理を実現する。
【００２２】
システムメモリ５２として、例えば、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８などを制御することにより表示制御も行う。
【００２３】
システムタイマー５３は各種制御に用いる時間や、内蔵された時計の時間を計測する計時部である。
【００２４】
モード切替スイッチ６０、第１シャッタースイッチ６２、第２シャッタースイッチ６４、操作部７０はシステム制御部５０に各種の動作指示を入力するための操作手段である。
【００２５】
モード切替スイッチ６０は、システム制御部５０の動作モードを静止画記録モード、動画記録モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。モード切り替えスイッチ６０で、静止画撮影モードに含まれるこれらのモードのいずれかに直接切り替えられる。あるいは、モード切り替えスイッチ６０で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２６】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２７】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば、終了ボタン、戻るボタン、画像送りボタン、ジャンプボタン、絞込みボタン、属性変更ボタンなどがある。例えば、メニューボタンが押されると各種の設定可能なメニュー画面が表示部２８に表示される。ユーザは、表示部２８に表示されたメニュー画面と、上下左右の４方向ボタンやＳＥＴボタンとを用いて直感的に各種設定を行うことができる。
【００２８】
前述のように、コントローラホイール７３は、操作部７０に含まれる回転操作可能な操作部材であり、方向ボタンと共に選択項目を指示する際などに使用される。コントローラホイール７３を回転操作すると、操作量に応じて電気的なパルス信号が発生し、このパルス信号に基づいてシステム制御部５０はデジタルカメラ１００の各部を制御する。このパルス信号によって、コントローラホイール７３が回転操作された角度や、何回転したかなどを判定することができる。
【００２９】
なお、コントローラホイール７３は回転操作が検出できる操作部材であればどのようなものでもよい。例えば、ユーザの回転操作に応じてコントローラホイール７３自体が回転してパルス信号を発生するダイヤル操作部材であってもよい。また、タッチセンサよりなる操作部材で、コントローラホイール７３自体は回転せず、コントローラホイール７３上でのユーザの指の回転動作などを検出するものであってもよい（所謂タッチホイール）。
【００３０】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００３１】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカードなどの記録媒体であり、半導体メモリや磁気ディスクなどから構成される。
【００３２】
なお、操作部７０の一つとして、表示部２８に対する接触を検知可能なタッチパネル１１２を有する。タッチパネル１１２と表示部２８とは一体的に構成することができる。例えば、タッチパネル１１２を光の透過率が表示部２８の表示を妨げないように構成し、表示部２８の表示面の上層に取り付ける。そして、タッチパネル１１２における入力座標と、表示部２８上の表示座標とを対応付ける。これにより、恰もユーザが表示部２８上に表示された画面を直接的に操作可能であるかのようなＧＵＩを構成することができる。システム制御部５０はタッチパネル１１２への以下の操作を検出することができる。
【００３３】
タッチパネル１１２を指やペンで触れたこと（以下、タッチダウンと称する）。タッチパネル１１２を指やペンで触れている状態であること（以下、タッチオンと称する）。タッチパネル１１２を指やペンで触れたまま移動していること（以下、ムーブと称する）。タッチパネル１１２へ触れていた指やペンを離したこと（以下、タッチアップと称する）。タッチパネル１１２に何も触れていない状態（以下、タッチオフと称する）。これらの操作や、タッチパネル１１２上に指やペンが触れている位置座標は内部バスを通じてシステム制御部５０に通知され、システム制御部５０は通知された情報に基づいてタッチパネル１１２上にどのような操作が行なわれたかを判定する。ムーブについてはタッチパネル１１２上で移動する指やペンの移動方向についても、位置座標の変化に基づいて、タッチパネル１１２上の垂直成分・水平成分毎に判定できる。またタッチパネル１１２上をタッチダウンから一定のムーブを経てタッチアップをしたとき、ストロークを描いたこととする。素早くストロークを描く操作をフリックと呼ぶ。フリックは、タッチパネル１１２上に指を触れたままある程度の距離だけ素早く動かして、そのまま離すといった操作であり、言い換えればタッチパネル１１２上を指ではじくように素早くなぞる操作である。所定距離以上を、所定速度以上でムーブしたことが検出され、そのままタッチアップが検出されるとフリックが行なわれたと判定できる。また、所定距離以上を、所定速度未満でムーブしたことが検出された場合はドラッグが行なわれたと判定するものとする。
【００３４】
タッチパネル１１２は、抵抗膜方式や静電容量方式、表面弾性波方式、赤外線方式、電磁誘導方式、画像認識方式、光センサ方式などの様々な方式のタッチパネルのうちいずれの方式のものを用いてもよい。
【００３５】
前述のシステム制御部５０はタッチパネル１１２における操作位置に応じた座標を算出する。測距部１０６は、撮像装置１００と被写体との距離を測定して、その測距結果をシステム制御部５０に送る。測距の際には、測距部１０６は、例えば、被写体に赤外線を照射し、その反射波が戻るまでの時間を計測して距離を測定する。なお、距離を測定できれば、その手法は上記の例に限定されないが、図示の例では、赤外線を用いて測距を行う例について説明する。
【００３６】
システム制御部５０は上記の座標と測距結果とに応じて、メモリ制御部１５に対して必要な表示用データを読み出すように指示する。そして、メモリ制御部１５はメモリ３２から読み出された表示用データを表示部２８に画像として表示する。なお、メモリ３２に格納された表示用データには焦点調節可能範囲を示す目盛りが含まれている。
【００３７】
システム制御部５０は、焦点調節の際、レンズ駆動部１１０を駆動制御して、測距部１０６で得られた測定距離（測距距離）に応じて光軸方向に撮影レンズ１０３に備えられたフォーカスレンズを移動する。また、システム制御部５０は絞り駆動部１１１を駆動制御して、絞り１０４の開口の大きさを調整する。これによって、撮影レンズ１０３に入射する光量が調節される。
【００３８】
また、システム制御部５０は上記の座標（以下座標情報ともいう）に応じて、撮影レンズ１０３における制御可能範囲および制御不可能範囲を示す制御可否データを生成する。
【００３９】
システム制御部５０はメモリ制御部１５を制御して映像信号（画像信号）に対して表示用データを重畳して重畳映像信号とする。そして、この重畳映像信号はＤ／Ａ変換器１３を介して表示部２８に送られる。表示部２８には後述するように、重畳映像信号に応じた画像が表示される。
【００４０】
図３は、図２に示すデジタルカメラ１００における焦点位置・被写界深度の調節処理を説明するためのフローチャートである。
【００４１】
重畳映像信号データには、焦点調節可能範囲を示す目盛りが含まれており、表示部２８には重畳映像信号に応じた画像が表示される。つまり、表示部２８には映像信号に応じた映像（画像）と焦点調節可能範囲を示す目盛りが表示されることになる。そして、ユーザは、後述するように、表示部２８に表示された目盛りを調節して所望の焦点位置および被写界深度を設定することができる。
【００４２】
図４は、図２に示すデジタルカメラ１００の位置（撮影位置）と被写体との位置関係を上方からみた図である。
【００４３】
図４において、図示の上方視点画面３０１には、撮影位置３０２、被写体位置３０３、被写体位置３０４、および被写体位置３０５が表示されている。いま、ユーザが被写体位置３０４にある被写体のみに焦点位置を合わせて、被写体位置３０３および被写体位置３０５にある被写体について被写界深度範囲から外したいとする。
【００４４】
焦点位置・被写界深度調節が開始されると、システム制御部５０は焦点調節可能範囲を示す目盛りを焦点距離および被写界深度範囲に応じて表示部２８に表示する（ステップＳ２０１）。
【００４５】
図５は、図２に示すシステム制御部５０による被写界深度の算出を説明するための図である。
【００４６】
いま、被写体位置（被写体）３０４に焦点を合わせた際、撮像位置３０２と被写体位置３０４との距離をＬとした際、距離Ｌよりも遠方で焦点が合う被写体位置までの距離Ｄ１を後方被写界深度という。また、距離Ｌよりも手前側で焦点が合う被写体位置までの距離Ｄ２を前方被写界深度という。そして、被写界深度（被写界震度範囲ともいう）とはＤ１＋Ｄ２のことをいう。
【００４７】
撮影レンズ１０３の焦点距離をｆ、撮影レンズ１０３の絞り値であるＦナンバーをＦ、ボケ量に対する値である許容錯乱円の半径をδとすると、後方被写界深度Ｄ１および前方被写界震度Ｄ２は、図５に示す式で表される。
【００４８】
続いて、システム制御部５０は、表示部２８に表示した目盛りに被写界深度の調節可能範囲および調節不可能範囲を表示して目盛り表示画面とする（ステップＳ２０２）。そして、システム制御部５０は、現在の焦点距離Ｌ、被写界深度範囲、および目盛りとの関係を保持する（ステップＳ２０３）。
【００４９】
図６は、図２に示すシステム制御部５０で生成される目盛り表示画面の一例を示す図である。
【００５０】
図６において、目盛り表示画面５０１には目盛り５０２、被写界深度調節可能範囲５０３、後方被写界深度（第１の指示体）５０４、焦点位置５０５、前方被写界深度（第２の指示体）５０６、および被写界深度調節不可能範囲５０７が表示される。そして、焦点位置５０５を挟んで後方被写界深度５０４と前方被写界深度５０６とが表示される。後方被写界深度５０４、焦点位置５０５、前方被写界深度５０６、また、目盛り表示画面５０１には、被写体像（単に被写体ともいう）３０３〜３０５が表示される。
【００５１】
上記の被写界深度調節可能範囲５０３および被写界深度調節不可能範囲５０７は、システム制御部５０が図５に示す式を用いて算出する。つまり、ここでは、焦点距離Ｌを超え後方被写界深度Ｄ１までの範囲が被写界深度調節可能範囲５０３とされ、さらに、焦点距離Ｌ未満で前方被写界深度Ｄ２までの範囲が被写界深度調節可能範囲５０３とされる。
【００５２】
システム制御部５０は被写界深度調節不可能範囲５０７をグレーアウトとして目盛り表示画面５０１に表示して、被写界深度調節不可能範囲５０７と被写界深度調整可能範囲５０３とを区別して表示する。これによって、ユーザは被写界深度を調節できない範囲を容易に把握することができる。
【００５３】
なお、焦点位置には図示のように目を示すアイコンが表示され、焦点位置５０５を示す焦点範囲はグレーアウトされて表示される。
【００５４】
図６に示す例では、目盛り５０２の上下方向を遠近で示しているが、目盛り５０２の上下方向に距離を表示するようにしてもよい。
【００５５】
ここで、ユーザが表示部２８に表示された焦点調節可能範囲を示す目盛り５０２をタッチして、焦点位置および被写界深度範囲の調節を行ったとする（ステップＳ２０４）。
【００５６】
図７は、図２に示すタッチパネル１１２上の目盛り５０２をタッチ操作した際の動作とタッチ操作にかかる入力点との関係を示す図である。
【００５７】
図７において、ユーザが調節項目として焦点位置を調節したい場合には、目盛り５０２上におけるタッチ操作開始点（入力点）を１点とする。これによって、システム制御部５０は１点の座標を検知し、システム制御部５０はレンズ駆動部１１０に撮影レンズ１０３の駆動制御を行うことを指示する駆動指示を出力する。これによって、レンズ駆動部１１０は撮影レンズ１０３を制御して焦点調節を行う（レンズ部可変）。
【００５８】
ユーザは調節項目として被写界深度範囲を調節したい場合には、目盛り５０２上のタッチ操作開始点を２点とする。システム制御部５０はレンズ駆動部１１０および絞り駆動部１１１に対してそれぞれ撮影レンズ１０３および絞り１０４の駆動制御を行うことを指示する駆動指示を出力する。これによって、レンズ駆動部１１０および絞り駆動部１１１はそれぞれ撮影レンズ１０３および絞り１０４を駆動して、被写界深度範囲を調節する（レンズ部可変および絞り部可変）。
【００５９】
ユーザは調整項目として焦点位置を固定として被写界深度範囲を調節したい場合には、タッチ操作入力点の１点を焦点位置とし、他方の１点を可変させる。システム制御部５０はレンズ駆動部１１０および絞り駆動部１１１に対してそれぞれ撮影レンズ１０３および絞り１０４の駆動制御を行うことを指示する駆動指示を出力する。これによって、レンズ駆動部１１０および絞り駆動部１１１はそれぞれ撮影レンズ１０３および絞り１０４を駆動して、焦点位置を固定として被写界深度範囲を調節する（レンズ部固定および絞り部可変）。
【００６０】
図３に戻って、システム制御部５０はユーザによるタッチ操作があったか否かを判定する。つまり、システム制御部５０は入力イベントがあったか否かを判定する（ステップＳ２０５）。入力イベントがあると（ステップＳ２０５において、ＹＥＳ）、システム制御部５０はレンズ駆動部１１０および絞り駆動部１１１を制御して焦点位置（焦点距離）と被写界深度の制御を行う（ステップＳ２０６）。
【００６１】
ステップＳ２０６においては、入力位置（タッチ位置）および入力数（タッチ数）に応じて、図７で説明したように焦点距離および被写界深度の制御が行われる。具体的には、システム制御部５０は検知した座標情報に応じて調節項目を判別して、当該判別結果に応じた駆動指示をレンズ駆動部１１０および絞り駆動部１１１に送る。
【００６２】
焦点距離（つまり、焦点位置）の調節を行う際には、システム制御部５０はレンズ駆動部１１０を制御して、撮影レンズ１０３に備えられたフォーカスレンズを焦点位置に移動する。被写界深度を調節する際には、システム制御部５０は、図５で説明した式に応じてレンズ駆動部１１０および絞り駆動部１１１を制御する。これによって、レンズ駆動部１１０はフォーカスレンズを焦点位置に移動する。また、絞り駆動部１１１は絞り１０４の開口の大きさを調節する。
【００６３】
続いて、システム制御部５０は焦点位置の調節および被写界深度の調節の結果に応じてシャッター１０１に備えられたシャッターおよびフィルターを制御する（ステップＳ２０７）。そして、システム制御部５０は画像処理部２４を制御して増幅処理などの画像処理を行って、映像の調整を行う。
【００６４】
次に、メモリ制御部１５はシステム制御部５０の制御下で画像処理された映像信号を受けて当該映像信号を表示用データと合成して、画像として表示部１１８に表示する（ステップＳ２０８）。その後、処理はステップＳ２０５に戻る。
【００６５】
一方、入力イベントがないと（ステップＳ２０５において、ＮＯ）、システム制御部５０はタッチパネル１１２からの入力（タッチ）が終了した位置（座標）でレンズ駆動部１１０および絞り駆動部１１１の駆動制御を終了する（ステップＳ２０９）。そして、焦点位置・被写界深度調節が終了する。
【００６６】
なお、レンズ駆動部１１０および絞り駆動部１１１の駆動制御が終了すると、システム制御部５０はメモリ制御部１５を介してレンズ駆動部１１０および絞り駆動部１１１の駆動制御が終了したことを示すアイコンを表示部２８に表示してユーザに知らせるようにしてもよい。
【００６７】
図８および図９は、図３に示す焦点距離・被写界深度の制御（ステップＳ２０６）に係る処理を説明するためのフローチャートである。
【００６８】
前述のように、タッチパネル１１２で目盛り５０２に対してタッチ操作があると、システム制御部５０は焦点距離・被写界深度の制御を開始する。まず、システム制御部５０は、座標の検出結果に応じてタッチパネル１１２上の目盛り５０２において、２点ともタッチしていないか否かを判定する（ステップＳ７０１）。
【００６９】
２点ともにタッチアップであると（ステップＳ７０１において、ＹＥＳ）、システム制御部５０は、内蔵タイマーをクリアして（ステップＳ７０２）、図３に示すステップＳ２０７の処理に進む。なお、システム制御部５０は、１点目のタッチ操作があると内蔵タイマーによる計時を開始する。
【００７０】
２点ともにタッチアップでないと（ステップＳ７０１において、ＮＯ）、システム制御部５０は座標の検出結果に応じてタッチパネル１１２によるタッチ操作イベント数を検出する（ステップＳ７０３）。ここでは、タッチ操作イベント数が１であるか２であるかが検出される。そして、システム制御部５０は、タッチ操作イベント数が１又は２のいずれであるかを判定する（ステップＳ７０４）。
【００７１】
タッチ入力イベント数が１点であると（ステップＳ７０４において、１点）、システム制御部５０はタッチ操作イベントがタッチダウンであるか否かを判定する（ステップＳ７０５）。
【００７２】
図１０は、図８において入力イベント数が１点である場合に、図２に示す表示部２８に表示される焦点位置調節開始画面の一例を示す図である。なお、焦点位置調節開始画面９０１は表示部２８に表示される。
【００７３】
いま、タッチパネル１１２においてタッチ操作が行われると、システム制御部５０はタッチ操作された位置９０２を座標に変換する。ユーザはタッチ操作が終了するまで、表示部２８を目視して映像および目盛り５０２の変化をリアルタイムに確認することができる。
【００７４】
図８に戻って、タッチ操作イベントがタッチダウンであると（ステップＳ７０５において、ＹＥＳ）、システム制御部５０は内蔵タイマーによる計時を開始する（ステップＳ７０６）。
【００７５】
続いて、システム制御部５０は座標の検出結果から１点目のタッチ操作のタッチ位置（座標）を検出する（ステップＳ７０７）。なお、タッチ操作イベントがタッチダウンでないと（ステップＳ７０５において、ＮＯ）、システム制御部５０はステップＳ７０７の処理に進む。
【００７６】
続いて、システム制御部５０はタッチ操作位置が予め設定された有効範囲内にあるか否かを判定する（ステップＳ７０８）。タッチ操作位置が有効範囲内にないと（ステップＳ７０８において、ＮＯ）、システム制御部５０はステップＳ７０２の処理に進む。
【００７７】
一方、タッチ操作位置が有効範囲内にあると（ステップＳ７０８において、ＹＥＳ）、システム制御部５０は図３に示すステップＳ２０３で保持した焦点距離とタッチ操作位置とに応じて移動距離を算出する（ステップＳ７０９）。そして、システム制御部５０は移動距離に基づいてレンズ駆動部１１０を制御して撮影レンズ１０３のフォーカスレンズを駆動する（ステップＳ７１０）。
【００７８】
続いて、システム制御部５０はレンズ駆動部１１０によるフォーカスレンズの移動量、つまり、前述の移動距離に応じてメモリ制御部１５を介して表示部２８に表示された目盛り５０２を調整する（ステップＳ７１１）。つまり、ここでは、焦点位置が変更されることになる。
【００７９】
続いて、システム制御部５０は、タッチパネル１１２に１点目のタッチ操作（ここでは、タッチダウン）がある状態で、２点目のタッチダウンがあったか否かを判定する（ステップＳ７１２）。２点目のタッチダウンがないと（ステップＳ７１２において、ＮＯ）、システム制御部５０は図３に示すステップＳ２０７の処理に進む。
【００８０】
一方、２点目のタッチダウンがあると（ステップＳ７１２において、ＹＥＳ）、システム制御部５０は１点目のタッチダウンから２点目のタッチダウンまでの時間が所定の時間（例えば、１秒）以内であるか否かを判定する（ステップＳ８０１）。２点目のタッチダウンが所定の時間以内でないと（ステップＳ８０１において、ＮＯ）、システム制御部５０は１点目のタッチ操作の後に所定の時間が経過してから２点目のタッチ操作があったとして１点目のタッチ操作位置に応じてレンズ駆動部１１０を制御して、撮影レンズ部１０３のレンズ位置を固定する（ステップＳ８０２）。
【００８１】
続いて、システム制御部５０は座標の検出結果に応じて２点目のタッチ操作位置を検出する（ステップＳ８０３）。そして、システム制御部５０は２点目のタッチ操作位置が有効範囲内であるか否かを判定する（ステップＳ８０４）。タッチ操作位置が有効範囲内であると（ステップＳ８０４において、ＹＥＳ）、システム制御部５０はステップＳ２０３で保持した焦点距離と現在のタッチ操作位置に基づいて移動距離を算出する（ステップＳ８０５）。
【００８２】
次に、システム制御部５０は移動距離、つまり、焦点位置に基づいて絞り駆動部１１１を制御して絞り１０４の駆動を行う（ステップＳ８０６）。そして、システム制御部５０は絞り駆動部１１１による絞り１０４の駆動量、つまり、前述の移動距離に応じて表示部２８に表示された目盛り５０２を調整する（ステップＳ８０７）。つまり、システム制御部５０は絞りを目盛り５０２に反映させる。その後、処理は図３に示すステップＳ２０７に戻る。
【００８３】
なお、ステップＳ８０４において、タッチ操作位置が有効範囲内でないと（ステップＳ８０４において、ＮＯ）、システム制御部５０は図３に示すステップＳ２０７の処理に戻る。
【００８４】
図１１は、１点目のタッチ操作によって合焦した後、２点目のタッチ操作で焦点位置を固定として被写界深度の調節を行う被写界深度調節開始画面の一例を示す図である。なお、被写体深度調節開始画面１００１は表示部２８に表示される。
【００８５】
いま、タッチパネル１１２において被写界深度調節開始位置（１点目のタッチ操作位置）１００２から被写界深度調節移動方向１００３に２点目のタッチ操作が行われると、システム制御部５０は２点目のタッチ操作が行われた位置を座標に変換する。ユーザはタッチ操作が終了するまで、表示部２８を目視して映像および目盛り５０２の変化をリアルタイムに確認することができる。
【００８６】
図８に示すステップＳ７０４において、タッチ入力イベント数が２点であると（ステップＳ７０４において、２点）、システム制御部５０は内蔵タイマーの計時時間が所定の時間以上（例えば、１秒以上）経過しているか否かを判定する（ステップＳ８０８）。内蔵タイマーの計時時間が所定の時間以上経過していると（ステップＳ８０８において、ＹＥＳ）、システム制御部５０は１点目のタッチ操作の後に所定の時間が経過してから２点目のタッチ操作があったとしてステップＳ８０１の処理に進む。
【００８７】
一方、内蔵タイマーの計時時間が所定の時間未満であると（ステップＳ８０８において、ＮＯ）、システム制御部５０は２点同時にタッチ操作があったとみなして、１点目のタッチ操作位置と２点目のタッチ操作位置を、座標の検出結果に応じて検出する（ステップＳ８０９）。
【００８８】
次に、システム制御部５０は１点目のタッチ操作位置および２点目のタッチ操作位置がともに有効範囲内にあるか否かを判定する（ステップＳ８１０）。１点目のタッチ操作位置および２点目のタッチ操作位置がともに有効範囲内にあると（ステップＳ８１０において、ＹＥＳ）、システム制御部５０はステップＳ２０３で保持した焦点距離および被写界深度と現在のタッチ操作位置とに基づいて移動距離を算出する（ステップＳ８１１）。
【００８９】
続いて、システム制御部５０は移動距離に基づいて絞り駆動部１１１を制御して絞り１０４の駆動を行う（ステップＳ８１２）。さらに、システム制御部５０はレンズ駆動部１１０を制御して撮影レンズ１０３のレンズ位置を制御する（ステップＳ８１３）。
【００９０】
システム制御部５０は絞り駆動部１１１による絞り１０４の駆動量およびレンズ駆動部１１０によるフォーカスレンズの駆動量、つまり、前述の移動距離に応じて表示部２８に表示された目盛り５０２を調整する（ステップＳ８１４）。つまり、システム制御部５０はメモリ制御部１５を介してレンズ位置および絞りを目盛り５０２に反映させる。そして、処理は図３に示すステップＳ２０７に戻る。
【００９１】
なお、ステップＳ８０１において、２点目のタッチダウンが所定の時間以内であると（ステップＳ８０１において、ＹＥＳ）、システム制御部５０は２点同時にタッチダウンされたとみなしてステップＳ８０９の処理に進む。
【００９２】
図１２は、被写界深度の調節が行われた後、図２に示す表示部２８に表示される被写界深度調節終了画面の一例を示す図である。
【００９３】
被写界深度調節終了画面１１０１において、図１１に示す被写界深度調節開始画面１００１における被写界深度調節開始位置１００２から被写界深度調節終了位置１１０２に指が移動したとする。
【００９４】
ここでは、被写界深度が狭くされて、被写体３０４のみに焦点位置が合って、被写体３０３および被写体３０５は被写界深度から外れる。この結果、被写界深度調節終了画面１１０１では被写体３０３および被写体３０５に係る映像がボケた状態で表示部２８に表示される。
【００９５】
このように、本発明の第１の実施形態では、タッチパネルに焦点調節可能範囲を示す目盛りを表示して、タッチパネルで検出された座標の数と座標の位置とに応じて焦点位置および被写界深度を調節することができる。
【００９６】
［第２の実施形態］
次に、本発明の第２の実施形態によるデジタルカメラの一例について説明する。なお、第２の実施形態によるデジタルカメラの構成は、図２に示す測距部１０６が備えられていない点を除いて、図２に示すデジタルカメラと同様である。
【００９７】
第２の実施形態においては、画像処理部２４は１フレーム画面の所定の領域における映像信号から高周波成分を抽出してＴＶ−ＡＦ評価値信号を生成する。また、システム制御部５０は撮像部２２における焦点検出用の画素の出力を第１の画素出力（Ａ像）および第２の画素出力（Ｂ像）として、撮像エリアにおけるピントずれ量を求めるための位相差測距演算を行う。そして、システム制御部５０はＡＦ制御として、ＴＶ−ＡＦ信号および位相差測距演算結果に応じてレンズ駆動部１１０を制御して合焦レンズ位置にフォーカスレンズを移動させる。さらに、システム制御部５０は距離情報に基づいてメモリ制御部１５によって上方視点画面の作成に必要な表示用データをメモリ３２から読み出す。
【００９８】
図１３は、本発明の第２の実施形態によるデジタルカメラの撮像部２２における画素構成の一例を示す図である。
【００９９】
撮像部２２は、撮像センサ（撮像素子）１３０１を有しており、この撮像素子１３０１は２次元マトリックス状に配列された複数の画素１３０２を有している。これらの画素１３０２には、撮影用の画素と焦点検出用の画素とがある。
【０１００】
焦点検出用の画素１３０２は、例えば、予め定められた行において、（４ｎ−２）列に位置づけられている（ｎは１以上の整数）。図示の例では、３行２列目の画素（３−２画素）、３行６列目の画素（３−６画素）、３行１０列目、３行１４列目の画素（３−１４画素）などが焦点検出用の画素１３０２として用いられる。
【０１０１】
なお、焦点検出用の画素１３０２は２つに分割され、第１および第２の受光素子１３０４および１３０５を有している。焦点検出用の画素１３０２は連続的に位置する方が測距精度は向上するものの、画像の劣化が大きくなるので、離散的に配置する個が望ましい。図示のように、画素の前面には入射光を効率よく集光するためのマイクロレンズ１３０３が配置されている。
【０１０２】
図１４は、図１３に示す焦点検出用の画素およびマイクロレンズを拡大して側方からみた図である。
【０１０３】
焦点検出用の画素１３０２では、マイクロレンズ１３０３によって光束を瞳分割し、分割光束を一対の受光素子１３０４および１３０５入射する。焦点検出用の画素１３０２において、水平に並んで配置された受光素子１３０４および１３０５の出力をそれぞれまとめるとＡ像およびＢ像が形成される。
【０１０４】
ここで、図１４に示すＡ像およびＢ像から撮像レンズにおけるピントずれ量を求める際の焦点検出原理について説明する。
【０１０５】
図１５は、図１４に示すＡ像およびＢ像から撮像レンズにおけるピントずれ量を求める際の焦点検出原理について説明するための図である。
【０１０６】
図１５に示す撮影レンズ１５０１のＡ領域を通過する光束によって撮像素子の撮像面に形成される被写体像をＡ像とし、Ｂ領域を通過する光束によって形成される被写体像をＢ像とする。
【０１０７】
図１５においては、撮像面にピントが合った合焦時、撮像面よりも前でピントが合った前ピン時、そして、撮像面よりも後ろでピントが合った後ピン時が示されている。そして、結像面（ピント位置）と撮像面との距離であるデフォーカス量が大きい程、Ａ像およびＢ像の像ズレは大きくなる。また、前ピン時と後ピン時とでは像ズレ量が逆となる。この像ズレからデフォーカス量を検出するのが位相差検出方式である。
【０１０８】
図１６は、本発明の第２の実施形態によるデジタルカメラの画像処理部２４およびシステム制御部５０で行われる処理を説明するための機能ブロック図である。
【０１０９】
図１６において、画像処理部２４は、画素補間を行う画素補間処理部１６０１を有している。さらに、画像処理部２４は映像信号処理部１６０２を備え、この映像信号処理部１６０２は映像信号を後段のメモリ制御部１５で取り扱えるように処理する。
【０１１０】
Ａ／Ｄ変換部２３から出力されたデジタル信号は焦点検出用の画素に対応する部分が欠落した信号であるので、画素補間処理部１６０１は欠落した部分を周りの画素に対応する部分を用いて補間する。
【０１１１】
図１７は、図１６に示す画素補間処理部１６０１における補間演算を説明するための図である。
【０１１２】
いま、焦点検出用の画素１７０２の周りに通常の画素１７０１が配列されており、これらの画素１７０１および１７０２の電荷レベルをＥ１１〜Ｅ５５で示すと、ここでは、画素１７０２の上下に位置する画素１７０１の電荷レベルを単純平均して、画素１７０２の電荷レベルとする。つまり、Ｅ３３＝（Ｅ３１＋Ｅ３５）／２として補間処理が行われる。
【０１１３】
なお、多数の画素について重み付け平均を行って補間処理を行うようにしてもよく、当該補間処理は所謂画素のキズ補正と同様であるので詳細な説明は省略する。
【０１１４】
図１６に戻って、Ａ／Ｄ変換部２３はＡＦゲートスイッチ１６０３を介してＴＶ−ＡＦ信号処理部１６０４に接続されている。ＴＶ−ＡＦ信号処理部１６０４はデジタル信号（映像信号）を、バンドパスフィルター（ＢＰＦ）などを用いて画像の鮮鋭度を表す鮮鋭値に処理して、ＴＶ−ＡＦ信号を出力する。
【０１１５】
ここで、ＴＶ―ＡＦ信号の生成について説明する。
【０１１６】
ＴＶ―ＡＦ信号はデジタル信号を、ＢＰＦを用いてフィルタリングし、所定の高周波成分のレベルを求めることによって生成される。ところが、焦点検出用の画素に対応する部分が欠落したデジタル信号をフィルタリングすると、不可避的にＴＶ−ＡＦ信号には誤差が含まれてしまう。このため、後述するように、デジタル信号のうちいずれの部分をＡＦ信号処理するか選択するためＡＦゲートスイッチ１６０３を制御する。これによって、焦点検出用の画素に対応する部分が欠落しているデジタル信号の水平ラインはＴＶ−ＡＦ信号処理を施さないようにする。
【０１１７】
図１６において、システム制御部５０はセレクタ１６０６を有しており、このセレクタ１６０６は画像処理部２４を介してＡ／Ｄ変換部２３に接続されている。セレクタ１６０６はデジタル信号から前述のＡ像およびＢ像を選択する。位相差演算処理部１６０７は撮像画面１６０８の各測距位置におけるＡ像およびＢ像のズレ量（像ズレ量）を算出する。
【０１１８】
距離マップ作成処理部１６０９は、位相差演算処理部１６０７で求められたズレ量に応じて合焦レンズ位置を求める。そして、距離マップ作成処理部１６０９は合焦レンズ位置と距離データが格納された距離テーブル１６１０とによって撮像画面における各領域の合焦距離を求める。
【０１１９】
距離テーブル１６１０は予めシステム制御部５０に設定され、距離テーブル１６１０にはズームレンズ位置毎に離散的にフォーカスレンズ位置に対する合焦距離を示す距離データが格納されている。そして、距離マップ作成処理部１６０９は合焦フォーカスレンズ位置に対する合焦距離を、距離テーブル１６１０を参照して保管し、撮像面における測距エリア毎の被写体距離の配置テーブル（距離マップ）１６１１を求める。
【０１２０】
ＡＦ制御部１６１２は、ＴＶ−ＡＦ信号および距離マップに基づいてレンズ駆動部１１０を制御して撮影レンズ１０３のフォーカスレンズを駆動して合焦する。さらに、ＡＦ制御部１６１２はＡＦゲートスイッチ１６０３を制御して、焦点検出用の画素に対応する部分が欠落しているデジタル信号の水平ラインをＴＶ−ＡＦ信号処理部１６０４に与えないようにする。
【０１２１】
第２の実施形態よるデジタルカメラにおける焦点位置（焦点距離）および被写界深度の調節は、図３で説明したフローチャートに基づいて行われる。ここでは、被写体３０５のみを被写界深度内とし、被写体３０３および被写体３０４については被写界深度から外したい場合を例に挙げて説明する。
【０１２２】
図１８は、本発明の第２の実施形態におけるデジタルカメラにおいて表示部２８に表示される目盛り表示画面１８０１の一例を示す図である。
【０１２３】
図１８に示す例では、システム制御部５０は焦点位置、被写界深度範囲、および被写体距離に基づいて生成した上方視点画面および目盛りの表示用データを、メモリ制御部１５を介して表示部２８にＰｉｎＰ（ピクチャーインピクチャー）画面（目盛り表示画面）１８０１として表示される。
【０１２４】
ＰｉｎＰ画面として表示された目盛り表示画面１８０１には撮影位置（撮像装置位置）１８０２、後方被写界深度範囲境界線１８０３、前方被写界深度範囲境界線１８０４、被写体位置１８０５、被写体位置１８０６、および被写体位置１８０７が表示される。ここでは、被写体３０３と被写体位置１８０５、被写体３０４と被写体位置１８０６、被写体３０５と被写体位置１８０７とが対応づけられている。そして、撮影位置１８０２および被写体位置１８０５〜１８０７は後方被写界深度および前方被写界深度に関連付けて表示されている。
【０１２５】
上方視点画面を表示することによって、ユーザは被写体位置の配置と距離との関係を容易に把握することができ、さらに、被写界深度の境界線を表示することによって、焦点位置および被写界深度範囲の調節をより簡単に行うことができる。なお、上方視点画面と目盛りとは表示部２８の一面に表示するようにしてもよい。
【０１２６】
図１９は、本発明の第２の実施形態によるデジタルカメラにおいて２点入力した際の被写界深度調節開始画面１９０１の一例を示す図である。
【０１２７】
前述のように、タッチパネル１１２がタッチ操作されると、システム制御部５０は、検出した被写界深度調節開始位置を座標に変換する。第１の実施形態で説明したように、タッチ操作位置１９０２によって被写界深度が調節されるので２点同時入力が行われる。これによって、例えば、図示のように、被写界深度調節開始位置１９０２から被写界深度調節移動方向１９０３に被写界深度が移動する。
【０１２８】
図２０は、本発明の第２の実施形態によるデジタルカメラにおいて被写界深度調節終了画面２００１の一例を示す図である。
【０１２９】
いま、図１９に示すＰｉｎＰにおける被写界深度調節開始画面１９０１において、図２０に示すように被写界深度が狭くなる方向に被写界深度調節開始位置から被写界深度調節終了位置に指２００２を移動させたとする。この場合、被写界深度が狭くなったので、被写体３０５のみ被写界深度に入って、被写体３０４および被写体３０６は被写界深度から外れた映像が表示部２８に表示されることになる。
【０１３０】
このように、本発明の第２の実施形態では、タッチパネルに焦点調節可能範囲を示す目盛りを表示して、タッチパネルで検出された座標の数と座標の位置とに応じて焦点位置および被写界深度を調節することができる。その結果、ユーザは容易に焦点位置および被写界深度の調節を行うことができる。
【０１３１】
上述の説明から明らかなように、図２に示す例では、撮影レンズ１０３および撮像部２２などが撮像手段として機能する。また、タッチパネル１１２および表示部２８は表示手段として機能し、タッチパネル１１２およびシステム制御部５０はタッチ検出手段として機能する。さらに、システム制御部５０およびメモリ制御部１５は表示制御手段として機能し、システム制御部５０、レンズ駆動部１１０、および絞り駆動部１１１は駆動制御手段として機能する。
【０１３２】
なお、システム制御部５０による制御は１つのハードウェアで行ってもよいし、複数のハードウェアが処理を分担することで制御を行うようにしてもよい。
【０１３３】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものに過ぎず、各実施形態を適宜組み合わせることも可能である。
【０１３４】
上述した実施形態においては、本発明を、デジタルカメラに適用した場合を例にして説明したが、これはこの例に限定されず、カメラ機能を備える電子機器であれば適用可能である。つまり、ＰＤＡおよび携帯電話端末などカメラ機能を備えていれば適用することができる。
【０１３５】
［他の実施形態］
本発明は、以下の処理を実行することによっても実現される。即ち、上述した実施形態の機能を実現するソフトウェア（プログラム又は制御プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記録した記録媒体は本発明を構成することになる。
【符号の説明】
【０１３６】
１５  メモリ制御部
２２  撮像部
２４  画像処理部
５０  システム制御部
１１０  レンズ駆動部
１１１  絞り駆動部
１０６  測距部
１１２  タッチパネル
【図１】
2014078826.tif 000003
【図２】
2014078826.tif 000004
【図３】
2014078826.tif 000005
【図４】
2014078826.tif 000006
【図５】
2014078826.tif 000007
【図６】
2014078826.tif 000008
【図７】
2014078826.tif 000009
【図８】
2014078826.tif 000010
【図９】
2014078826.tif 000011
【図１０】
2014078826.tif 000012
【図１１】
2014078826.tif 000013
【図１２】
2014078826.tif 000014
【図１３】
2014078826.tif 000015
【図１４】
2014078826.tif 000016
【図１５】
2014078826.tif 000017
【図１６】
2014078826.tif 000018
【図１７】
2014078826.tif 000019
【図１８】
2014078826.tif 000020
【図１９】
2014078826.tif 000021
【図２０】
2014078826.tif 000022
【手続補正書】
【提出日】平成25年9月17日(2013.9.17)
【手続補正１】
【補正対象書類名】明細書
【補正対象項目名】０００１
【補正方法】変更
【補正の内容】
【０００１】
本発明は、撮像装置、その制御方法、および制御プログラム、並びに記録媒体に関し、特に、タッチパネルに焦点調節可能範囲を示す目盛りを表示して焦点位置と被写界深度を調節する撮像装置、その制御方法、および制御プログラム、並びに記録媒体に関する。
【手続補正２】
【補正対象書類名】明細書
【補正対象項目名】０００８
【補正方法】変更
【補正の内容】
【０００８】
上記の目的を達成するため、本発明による撮像装置は、少なくともフォーカスレンズおよび絞りを備え、被写体を撮像して映像信号を得る撮像手段と、前記映像信号に応じた画像を表示する表示手段と、前記表示手段に対するタッチ操作を検出するタッチ検出手段と、前記表示手段に焦点の調節が可能な範囲である焦点調節可能範囲を示す目盛り部を表示するように制御する表示制御手段と、前記目盛り部に対するタッチ操作が前記タッチ検出手段によって検出された場合に、１点のタッチ操作であるか複数点のタッチ操作であるかに応じて前記フォーカスレンズおよび絞りの少なくとも一方を制御する駆動制御手段と、を有することを特徴とする。
【手続補正３】
【補正対象書類名】明細書
【補正対象項目名】０００９
【補正方法】変更
【補正の内容】
【０００９】
本発明によれば、ユーザが容易に焦点位置および被写界深度を設定することができる。
【手続補正４】
【補正対象書類名】特許請求の範囲
【補正対象項目名】全文
【補正方法】変更
【補正の内容】
【特許請求の範囲】
【請求項１】
少なくともフォーカスレンズおよび絞りを備え、被写体を撮像して映像信号を得る撮像手段と、
前記映像信号に応じた画像を表示する表示手段と、
前記表示手段に対するタッチ操作を検出するタッチ検出手段と、
前記表示手段に焦点の調節が可能な範囲である焦点調節可能範囲を示す目盛り部を表示するように制御する表示制御手段と、
前記目盛り部に対するタッチ操作が前記タッチ検出手段によって検出された場合に、１点のタッチ操作であるか複数点のタッチ操作であるかに応じて前記フォーカスレンズおよび絞りの少なくとも一方を制御する駆動制御手段と、
を有することを特徴とする撮像装置。
【請求項２】
前記駆動制御手段は、前記目盛り部に対する１点のタッチ操作が前記タッチ検出手段で検出されると、前記１点のタッチ操作のタッチ位置に応じて前記フォーカスレンズを駆動制御して前記焦点位置を調節することを特徴とする請求項１に記載の撮像装置。 
【請求項３】
前記駆動制御手段は、前記目盛り部に対する１点目のタッチ操作が前記タッチ検出手段で検出された後、所定の時間以内に２点目のタッチ操作が前記タッチ検出手段で検出されると、前記１点目のタッチ操作のタッチ位置と前記２点目のタッチ操作のタッチ位置とに応じて、前記フォーカスレンズおよび前記絞りを駆動制御して、前記焦点位置を調節するとともに被写界深度を調節することを特徴とする請求項１または２に記載の撮像装置。
【請求項４】
前記駆動制御手段は、前記目盛り部に対する１点目のタッチ操作が前記タッチ検出手段で検出された後、所定の時間以内に２点目のタッチ操作が前記タッチ検出手段で検出されると、前記１点目のタッチ操作のタッチ位置に対応する前記目盛り部の位置と前記２点目のタッチ操作のタッチ位置に対応する前記目盛り部の位置とに挟まれる範囲に対応する距離範囲が被写界深度内となるように被写界深度を調節することを特徴とする請求項３に記載の撮像装置。
【請求項５】
前記駆動制御手段は、前記目盛り部に対する１点目のタッチ操作が前記タッチ検出手段で検出された後前記所定の時間の経過後に、前記２点目のタッチ操作が前記タッチ検出手段で検出されると、前記１点目のタッチ操作に対応させて前記焦点位置を調節するとともに、前記焦点位置を固定して、前記２点目のタッチ操作のタッチ位置に応じて前記絞りを駆動制御して前記被写界深度を調節することを特徴とする請求項２乃至４の何れか１項に記載の撮像装置。
【請求項６】
前記目盛り部には、焦点位置が表示されるとともに、前記焦点調節可能範囲を表す被写界深度調節可能範囲が表示され、さらに、前記焦点位置を挟んで該焦点位置よりも後方の後方被写界深度を示す第１の指示体と前記焦点位置よりも前方の前方被写界深度を示す第２の指示体とが表示されることを特徴とする請求項１乃至５の何れか１項に記載の撮像装置。
【請求項７】
前記目盛り部には、さらに前記撮像装置の位置を示す撮像装置位置と、前記画像における被写体像の位置を示す被写体位置とが表示され、
前記撮像装置位置および前記被写体位置は前記第１の指示体および前記第２の指示体に関連付けて表示されることを特徴とする請求項６に記載の撮像装置。
【請求項８】
前記表示制御手段は、前記焦点位置の調節に応じて、前記目盛り部における焦点位置を変更することを特徴とする請求項６または７に記載の撮像装置。
【請求項９】
前記表示制御手段は、被写界深度の範囲を示す被写界深度範囲において、前記被写界深度調節可能範囲と被写界深度の調節が不可能な被写界深度とを区別して表示することを特徴とする請求項６乃至８の何れか１項に記載の撮像装置。
【請求項１０】
少なくともフォーカスレンズおよび絞りを備え、被写体を撮像して映像信号を得る撮像装置の制御方法であって、
前記映像信号に応じた画像を表示部に表示する表示ステップと、
前記表示部に対するタッチ操作を検出するタッチ検出ステップと、
前記表示部に焦点の調節が可能な範囲である焦点調節可能範囲を示す目盛り部を表示するように制御する表示制御ステップと、
前記目盛り部に対するタッチ操作が前記タッチ検出ステップで検出された場合に、１点のタッチ操作であるか複数点のタッチ操作であるかに応じて前記フォーカスレンズおよび絞りの少なくとも一方を制御する駆動制御ステップと、
を有することを特徴とする撮像装置の制御方法。
【請求項１１】
コンピュータを、請求項１乃至９の何れか１項に記載された撮像装置の各手段として機能させるためのプログラム。
【請求項１２】
コンピュータを、請求項１乃至９の何れか１項に記載された撮像装置の各手段として機能させるためのプログラムを格納したコンピュータが読み取り可能な記憶媒体。